(57)【特許請求の範囲】
【請求項１】
照明器具と、
前記照明器具に着脱自在に取り付けられ、幅方向における少なくとも一端に、前記照明器具に対向する段差面が設けられた光源ユニットと、
前記光源ユニットを前記照明器具に連結し、弾性力によって前記光源ユニットを前記照明器具に固定する取付バネと
を備え、
前記光源ユニットの段差面に道具又は手指が引っ掛けられて前記光源ユニットが前記照明器具から引き離されることで、前記取付バネに対して前記弾性力の向きと逆向きに力が加わり、前記取付バネによる前記光源ユニットと前記照明器具との連結が解除されて、前記光源ユニットが前記照明器具から取り外され、
前記光源ユニットの段差面は、道具又は手指を引っ掛けるための第１領域と、前記光源ユニットの長さ方向で前記第１領域に隣接する第２領域とからなり、
前記照明器具は、開口が形成され、当該開口を通して前記光源ユニットの一部を収容する収容凹部と、前記収容凹部の内壁面に接するように取り付けられ、一部が前記収容凹部の開口から突出して前記光源ユニットの段差面の第２領域に当たることで、前記収容凹部の開口の周縁と前記光源ユニットの段差面との間に隙間を空ける光源ユニット支持部とを有し、
前記光源ユニット支持部は、前記収容凹部の開口から突出する部分が、前記照明器具の長さ方向に板状に延び、前記光源ユニットの段差面の第１領域に対応する位置に切り欠きが設けられたことを特徴とする照明装置。
【請求項２】
前記取付バネは、前記照明器具の長さ方向の少なくとも一箇所に設置され、
前記光源ユニット支持部の切り欠きは、前記照明器具の長さ方向における、前記照明器具の前記取付バネが設置された箇所と同じ位置に設けられたことを特徴とする請求項１に記載の照明装置。
【請求項３】
前記取付バネは、前記光源ユニットの長さ方向の少なくとも一箇所に設置され、
前記光源ユニット支持部の切り欠きは、前記照明器具の長さ方向における、前記光源ユニットの前記取付バネが設置された箇所に対応する位置に設けられたことを特徴とする請求項１に記載の照明装置。
【請求項４】
照明器具と、
前記照明器具に着脱自在に取り付けられ、幅方向における少なくとも一端に、前記照明器具に対向する段差面が設けられた光源ユニットと、
前記光源ユニットを前記照明器具に連結し、弾性力によって前記光源ユニットを前記照明器具に固定する取付バネと
を備え、
前記光源ユニットの段差面に道具又は手指が引っ掛けられて前記光源ユニットが前記照明器具から引き離されることで、前記取付バネに対して前記弾性力の向きと逆向きに力が加わり、前記取付バネによる前記光源ユニットと前記照明器具との連結が解除されて、前記光源ユニットが前記照明器具から取り外され、
前記光源ユニットの段差面には、道具又は手指を引っ掛けるための窪みが形成されたことを特徴とする照明装置。
【請求項５】
前記取付バネは、前記照明器具の長さ方向の少なくとも一箇所に設置され、
前記光源ユニットの段差面の窪みは、前記光源ユニットの長さ方向における、前記照明器具の前記取付バネが設置された箇所に対応する位置に形成されたことを特徴とする請求項４に記載の照明装置。
【請求項６】
前記取付バネは、前記光源ユニットの長さ方向の少なくとも一箇所に設置され、
前記光源ユニットの段差面の窪みは、前記光源ユニットの長さ方向における、前記光源ユニットの前記取付バネが設置された箇所と同じ位置に形成されたことを特徴とする請求項４に記載の照明装置。
【請求項７】
前記光源ユニットの段差面は、前記光源ユニットの幅方向における両端に設けられたことを特徴とする請求項１から６のいずれか１項に記載の照明装置。
【請求項８】
前記光源ユニットは、光源と、前記光源からの光を透過するカバーとを有し、
前記光源ユニットの段差面は、前記カバーに設けられたことを特徴とする請求項１から７のいずれか１項に記載の照明装置。
【発明の詳細な説明】
【技術分野】
【０００１】
本発明は、照明装置に関するものである。
【背景技術】
【０００２】
照明器具に光源ユニットを着脱自在に取り付ける技術がある（例えば、特許文献１参照）。
【先行技術文献】
【特許文献】
【０００３】
【特許文献１】特開２０１４−７８５１１号公報
【発明の概要】
【発明が解決しようとする課題】
【０００４】
従来技術では、照明器具の内部に収納される光源ユニットが、照明器具の底面部の開口端縁に隙間が生じないように重なると、光源ユニットが取り外し難くなるという課題があった。
【０００５】
本発明は、例えば、光源ユニットを照明器具から容易に取り外せるようにすることを目的とする。
【課題を解決するための手段】
【０００６】
本発明の一の態様に係る照明装置は、
照明器具と、
前記照明器具に着脱自在に取り付けられ、前記照明器具に対向する面に長さ方向に延びる段差面が設けられた光源ユニットと、
前記光源ユニットを前記照明器具に連結し、弾性力によって前記光源ユニットを前記照明器具に固定する取付バネと
を備え、
前記光源ユニットの段差面に道具又は手指が引っ掛けられて前記光源ユニットが前記照明器具から引き離されることで、前記取付バネに対して前記弾性力の向きと逆向きに力が加わり、前記取付バネによる前記光源ユニットと前記照明器具との連結が解除されて、前記光源ユニットが前記照明器具から取り外される。
【発明の効果】
【０００７】
本発明では、光源ユニットを照明器具から取り外す際に道具又は手指を引っ掛けるための段差面が光源ユニットの長さ方向に沿って設けられている。このため、本発明によれば、光源ユニットを照明器具から容易に取り外すことが可能となる。
【図面の簡単な説明】
【０００８】
【図１】実施の形態１に係る照明装置の斜視図。
【図２】実施の形態１に係る照明装置の斜視図。
【図３】実施の形態１に係る照明装置の分解斜視図。
【図４】実施の形態１に係る照明装置の正面図。
【図５】実施の形態１に係る照明装置の平面図。
【図６】実施の形態１に係る照明装置の側面図。
【図７】実施の形態１に係る照明装置の底面図。
【図８】実施の形態１に係る照明装置のＡ−Ａ断面図。
【図９】実施の形態１に係る照明装置のＢ−Ｂ断面図。
【図１０】実施の形態１に係る照明装置の光源ユニットを照明器具から引き離した状態を示す正面図。
【図１１】実施の形態１に係る照明装置の取付バネによる光源ユニットと照明器具との連結を解除する様子を示す部分斜視図。
【図１２】実施の形態１に係る照明装置の光源ユニットを照明器具から引き離す際に道具を用いる様子を示す部分斜視図。
【図１３】実施の形態１に係る照明装置の光源ユニットを照明器具から引き離す際に道具を用いる様子を示す部分斜視図。
【図１４】実施の形態２に係る照明装置の分解斜視図。
【図１５】実施の形態３に係る照明装置の分解斜視図。
【発明を実施するための形態】
【０００９】
以下、本発明の実施の形態について、図を用いて説明する。なお、各図中、同一又は相当する部分には、同一符号を付している。実施の形態の説明において、同一又は相当する部分については、その説明を適宜省略又は簡略化する。また、実施の形態の説明において、「上」、「下」、「左」、「右」、「前」、「後」、「表」、「裏」といった配置や向き等は、説明の便宜上、そのように記しているだけであって、装置、器具、部品等の配置や向き等を限定するものではない。装置、器具、部品等の構成について、その材質、形状、大きさ等は、本発明の範囲内で適宜変更することができる。
【００１０】
実施の形態１．
図１及び図２は、本実施の形態に係る照明装置１０の斜視図である。
【００１１】
図１及び図２に示すように、照明装置１０は、照明器具２０と、光源ユニット３０とを備える。照明器具２０は、一面が開口する箱状をなす。光源ユニット３０は、照明器具２０の内部に着脱自在に取り付けられる。
【００１２】
照明装置１０は、天井に設置して使用される。よって、光源ユニット３０が照明器具２０に取り付けられる際には、光源ユニット３０が押し上げられる（即ち、上方向に押し付けられる）。一方、光源ユニット３０が照明器具２０から取り外される際には、光源ユニット３０が引き下ろされる（即ち、下方向に引き離される）。
【００１３】
なお、照明装置１０は、天井以外の場所に設置されてもよい。照明器具２０と光源ユニット３０との位置関係は、前者が上で、後者が下であってもよいし、両者が左右に位置するような関係であってもよいし、互いに斜めに位置するような関係であってもよい。
【００１４】
図３は、照明装置１０の分解斜視図である。
【００１５】
図３に示すように、照明器具２０は、器具本体２１と、光源ユニット支持部２４とを備える。器具本体２１は、断面が凸形状をなす。光源ユニット支持部２４は、器具本体２１に取り付けられ、光源ユニット３０に当接する。
【００１６】
図４は、照明装置１０の正面図である。図５は、照明装置１０の平面図である。図６は、照明装置１０の側面図である。図７は、照明装置１０の底面図である。図８は、照明装置１０のＡ−Ａ断面図である。図９は、照明装置１０のＢ−Ｂ断面図である。図１０は、照明装置１０の光源ユニット３０を照明器具２０から引き離した状態を示す正面図である。
【００１７】
図４から図１０に示すように、器具本体２１は、収容凹部４１と、水平面部４２と、垂直面部４３と、端板４４を備える。収容凹部４１は、開口が形成され、当該開口を通して光源ユニット３０の一部を収容する。収容凹部４１は、照明器具２０の長手方向（長さ方向）に離れて二箇所に取付バネ４５が取り付けられる。取付バネ４５は、光源ユニット３０を照明器具２０に連結し、弾性力によって光源ユニット３０を照明器具２０に固定する。水平面部４２は、照明器具２０の短手方向（幅方向）における収容凹部４１の開口の両端縁から水平方向に沿って外側に延びる。垂直面部４３は、照明器具２０の短手方向（幅方向）における水平面部４２の両端から垂直方向に沿って延びる。端板４４は、照明器具２０の長手方向（長さ方向）における収容凹部４１及び水平面部４２及び垂直面部４３の両端に接するように取り付けられる。
【００１８】
垂直面部４３及び端板４４は、器具本体２１の開口部分の外周につば部４６を有する。垂直面部４３及び端板４４のつば部４６は、器具本体２１が天井の埋め込み穴に取り付けられる際に天井材に当接し、埋め込み穴と器具本体２１との間の隙間を隠す。これにより、意匠性を高めることができる。
【００１９】
図８及び図９に示すように、照明器具２０は、さらに、電源端子台２２を備える。電源端子台２２は、器具本体２１の収容凹部４１に取り付けられる。電源端子台２２には、電線を介して電源端子台コネクタ（図示していない）が接続される。
【００２０】
図９に示すように、光源ユニット支持部２４は、支持取付部５１と、突出片５２とを備える。支持取付部５１は、垂直方向に延びる収容凹部４１の内壁面に接するように取り付けられる。突出片５２は、水平面部４２よりも下方に突出し、水平面部４２側に傾斜するように、支持取付部５１と一体に形成される。
【００２１】
図７から図１０に示すように、光源ユニット３０は、光源部３１と、電源装置３２とを備える。光源部３１は、長尺状である。電源装置３２は、光源部３１に取り付けられる。
【００２２】
図８から図１０に示すように、光源部３１は、ＬＥＤモジュール（図示していない）と、取付部材６１と、光透過性カバー６２と、係合部６３とを備える。ＬＥＤモジュールは、複数のＬＥＤと、これら複数のＬＥＤが実装された基板とからなる。取付部材６１には、ＬＥＤモジュールが取り付けられる。光透過性カバー６２は、取付部材６１に取り付けられ、ＬＥＤモジュールを覆うとともに、複数のＬＥＤが発する光を透過する。係合部６３は、取付部材６１の二箇所に、光源ユニット３０の長手方向（長さ方向）に離れて取り付けられる。係合部６３の位置は、取付バネ４５の位置に１対１で対応する。係合部６３は、光源ユニット３０が照明器具２０に取り付けられる際に、対応する取付バネ４５と係合する。
【００２３】
取付部材６１は、ＬＥＤモジュールが裏面に取り付けられる長方形状の板であるが、その短手方向の両端部が折り曲げられている。
【００２４】
光透過性カバー６２は、外郭が蒲鉾形状をなし、内部が中空状となっている。光透過性カバー６２は、取付部材６１の折り曲げられた両端部と係り合って取付部材６１に取り付けられる。
【００２５】
係合部６３の詳細については後述する。
【００２６】
図８及び図１０に示すように、電源装置３２は、光源部３１の取付部材６１のＬＥＤモジュールが実装される面（即ち、取付部材６１の裏面）の逆側の面（即ち、取付部材６１の表面）に取り付けられる。電源装置３２は、前述した電源端子台コネクタと接続される電源装置コネクタ（図示していない）を備える。電源装置３２は、電線を介してＬＥＤモジュールに電気的に接続される。電源装置３２は、電源端子台２２から電源端子台コネクタ及び電源装置コネクタを介して入力される電力（例えば、商用電力）を所望の電力（例えば、直流電力）に変換してＬＥＤモジュールに供給し、複数のＬＥＤを点灯させる。
【００２７】
図１１は、照明装置１０の取付バネ４５による光源ユニット３０と照明器具２０との連結を解除する様子を示す部分斜視図である。
【００２８】
図１１に示すように、係合部６３は、断面がＬ字形状をなし、固定部６４と、挿入部６５とを備える。固定部６４は、取付部材６１の裏面に固定される。挿入部６５には、取付バネ４５を挿入するための四角形状の貫通孔６６が形成される。この貫通孔６６に取付バネ４５が挿入されることにより、光源ユニット３０が照明器具２０に装着される。光源ユニット３０が照明器具２０から引き離され、図１０に示したような状態において、貫通孔６６から取付バネ４５が抜かれると、光源ユニット３０と照明器具２０との連結が解除される。
【００２９】
以下では、天井に設置された照明器具２０に、作業者が光源ユニット３０を取り付ける手順を説明する。
【００３０】
取付バネ４５は、長手方向の一端が根元に相当し、長手方向の他端が先端に相当する。取付バネ４５の根元は、ネジ等により照明器具２０の収容凹部４１の内側上面に固定されている。取付バネ４５は、先端が照明器具２０の収容凹部４１の内側上面に当たる方向に弾性力を発揮する。そのため、光源ユニット３０が照明器具２０から完全に分離した状態では、取付バネ４５の先端が、照明器具２０の収容凹部４１の内側上面に当たり、収容凹部４１を押圧する。このとき、取付バネ４５は、下方（重力方向）にたわむように湾曲している。
【００３１】
上記のように光源ユニット３０が照明器具２０から完全に分離した状態から、まず、作業者は、取付バネ４５に対して弾性力に抗する力を加えることで、取付バネ４５を垂直状態になるように弾性変形させる。垂直状態とは、取付バネ４５の先端が収容凹部４１から離れて長手方向の根元の真下付近に位置する状態のことである。この状態では、取付バネ４５が垂直方向に延びて真っ直ぐに近い状態となる。作業者は、取付バネ４５を垂直状態にする過程或いはその後で、取付バネ４５の先端を係合部６３の貫通孔６６に挿入する。これにより、照明装置１０は、図１０に示した状態となる。取付バネ４５の先端は、屈曲しており、この屈曲した部分は、係合部６３の貫通孔６６の周縁に引っ掛かるようになっている。そのため、図１０に示した状態では、光源ユニット３０が照明器具２０から吊り下がる。このとき、取付バネ４５は、照明器具２０の長手方向（長さ方向）の両端に近い位置に１個ずつ配置されており、光源ユニット３０を照明器具２０に対して略平行な状態で保持する。よって、作業者は、光源ユニット３０を手で支える必要がなく、例えば、照明装置１０の施工時には、電源端子台コネクタと電源装置コネクタとを接続する作業等を容易に行うことができる。
【００３２】
次に、作業者は、光源ユニット３０を持ち上げる。このとき、取付バネ４５は、弾性力によって係合部６３の貫通孔６６の周縁に対して摺動し、根元に近い部分まで貫通孔６６に徐々に挿入されていく。そして、取付バネ４５は、最終的に元の状態に戻る。元の状態では、取付バネ４５の先端が、照明器具２０の収容凹部４１の内側上面に当たり、収容凹部４１を押圧する。このとき、取付バネ４５は、図８に示したように、下方（重力方向）にたわむように湾曲している。取付バネ４５は、光源ユニット３０を保持できる程度の弾性力を有する。よって、光源ユニット３０は、照明器具２０に固定された状態となる。この状態において、光源ユニット３０の一部（電源装置３２等）は、照明器具２０の収容凹部４１に収納されるが、光透過性カバー６２等、その他の部分は、収容凹部４１より下方に露出する。照明器具２０の光源ユニット支持部２４の突出片５２は、先端部分が、その光透過性カバー６２（取付部材６１でもよい）に接触する。そのため、光透過性カバー６２は、照明器具２０の水平面部４２とは、光源ユニット３０の取付方向（上下方向）に対して、突出片５２の長さだけ離れる。即ち、光透過性カバー６２と照明器具２０の水平面部４２との間には、隙間が空く。
【００３３】
以下では、照明器具２０から、作業者が光源ユニット３０を取り外す手順を説明する。
【００３４】
光源ユニット３０を取り外す手順は、光源ユニット３０を取り付ける手順の逆である。
【００３５】
前述したように、光源ユニット３０が照明器具２０に取り付けられた状態では、取付バネ４５の先端が、照明器具２０の収容凹部４１の内側上面に当たり、収容凹部４１を押圧する。このとき、取付バネ４５は、下方（重力方向）にたわむように湾曲している。
【００３６】
まず、作業者は、光源ユニット３０を引き下げる。このとき、取付バネ４５は、弾性力によって係合部６３の貫通孔６６の周縁に対して摺動し、根元に近い部分から徐々に貫通孔６６を抜け出していく。そして、取付バネ４５は、最終的に、図１０に示したような垂直状態となる。
【００３７】
次に、作業者は、取付バネ４５の先端を係合部６３の貫通孔６６から抜き出す。これにより、取付バネ４５は、弾性力によって元の状態に戻る。電源端子台コネクタと電源装置コネクタとの接続を解除すれば、光源ユニット３０を照明器具２０から完全に分離させることができる。
【００３８】
図１２及び図１３は、照明装置１０の光源ユニット３０を照明器具２０から引き離す際に道具７１を用いる様子を示す部分斜視図である。
【００３９】
本実施の形態では、照明器具２０の光源ユニット支持部２４（特に、突出片５２）が、収容凹部４１の開口から突出して光源ユニット３０の光透過性カバー６２の上面に当たることで、収容凹部４１の開口の周縁と光透過性カバー６２の上面との間に、前述した隙間を空けている。そのため、作業者は、光源ユニット３０を取り外す際に、光源ユニット３０の短手方向（幅方向）における光透過性カバー６２の一端又は両端の上側の角部を手指で掴んで光源ユニット３０を引き下げることができる。即ち、本実施の形態では、照明器具２０の水平面部４２と光透過性カバー６２の上面との間に突出片５２の長さ分の距離が保たれているので、照明器具２０の垂直面部４３と光透過性カバー６２との間の距離を短くしても、光源ユニット３０の短手方向（幅方向）における光透過性カバー６２の両端を指の腹で摘むことができる。しかし、それでも光源ユニット３０を引き下げにくい場合、作業者は、図１２及び図１３に示すように、道具７１を用いて光源ユニット３０を引き下げてもよい。
【００４０】
例えば、まず、作業者は、図１２に示すように、先端が屈曲した棒状の道具７１（例えば、六角レンチ）を、照明器具２０の一方の端板４４と、光源ユニット３０の長手方向（長さ方向）の一端との間に挿し込み、道具７１の先端を光透過性カバー６２の上面に引っ掛ける。次に、作業者は、図１３に示すように、道具７１を下方に引っ張って光源ユニット３０を引き下げる。これにより、光源ユニット３０を容易に引き下げることができる。
【００４１】
本実施の形態では、照明器具２０の器具本体２１と光源ユニット３０との間に光源ユニット支持部２４を設けているので、器具本体２１の開口幅が狭くても、光源ユニット３０を容易に外すことができる。そのため、天井面から見える照明器具２０の大きさを小さくすることができる。また、光源ユニット３０と照明器具２０の垂直面部４３との距離を短くすることができるので、光源ユニット３０を器具本体２１の奥まった位置に取り付けなくても、所望の遮光角を得られる。よって、器具本体２１の高さを低くすることができる。
【００４２】
なお、本実施の形態では、取付バネ４５が照明器具２０の長手方向（長さ方向）の二箇所に設置されているが、取付バネ４５は、照明器具２０の長手方向（長さ方向）の少なくとも一箇所に設置されていればよい。また、取付バネ４５は、照明器具２０に設置される代わりに、光源ユニット３０の長手方向（長さ方向）の少なくとも一箇所に設置されてもよい。その場合、係合部６３は、照明器具２０に設置されることになる。
【００４３】
実施の形態２．
本実施の形態について、主に実施の形態１との差異を説明する。
【００４４】
図１４は、本実施の形態に係る照明装置１０の分解斜視図である。
【００４５】
図１４に示すように、照明装置１０は、実施の形態１と同様に、照明器具２０と、光源ユニット３０とを備えるが、本実施の形態では、照明器具２０の光源ユニット支持部２４の構成が、図３に示した実施の形態１のものと異なる。
【００４６】
光源ユニット３０の光透過性カバー６２よりも上の部分と光透過性カバー６２との間には、段差ができている。段差は、光源ユニット３０の短手方向（幅方向）における両端に存在している。即ち、光源ユニット３０は、短手方向（幅方向）における両端に、照明器具２０に対向する段差面が設けられている。この段差面は、光源ユニット３０の長手方向（長さ方向）の全体に延びている。なお、段差面が光源ユニット３０の短手方向（幅方向）における少なくとも一端に設けられていれば、本実施の形態を適用することができる。
【００４７】
照明器具２０の光源ユニット支持部２４は、実施の形態１のものと同様に、照明器具２０の収容凹部４１の開口から突出する部分が、照明器具２０の長手方向（長さ方向）に板状に延びている。本実施の形態では、光源ユニット支持部２４に切り欠き８１が設けられている。
【００４８】
ここで、光源ユニット３０の段差面において、道具７１又は手指を引っ掛けるための領域を第１領域、光源ユニット３０の長手方向（長さ方向）で第１領域に隣接する領域を第２領域とする。このとき、光源ユニット支持部２４の切り欠き８１は、光源ユニット３０の段差面の第１領域に対応する位置に設けられる。この位置に切り欠き８１が設けられることで、光源ユニット支持部２４が光源ユニット３０の段差面の第１領域に当たらないようにすることができる。即ち、光源ユニット支持部２４は、収容凹部４１の開口から突出して光源ユニット３０の段差面に当たることで、収容凹部４１の開口の周縁（水平面部４２）と光源ユニット３０の段差面との間に隙間を空けるが、その隙間に道具７１又は手指を挿し込もうとしても、光源ユニット支持部２４が存在していると、実際には道具７１又は手指を挿し込めないか、或いは、挿し込み難くなってしまう。そこで、本実施の形態では、光源ユニット支持部２４が光源ユニット３０の段差面の第２領域のみに当たるようにして、水平面部４２と光源ユニット３０の段差面の第１領域との間の隙間には光源ユニット支持部２４がほとんど存在しない（切り欠き８１の部分が存在する）ようにしている。したがって、本実施の形態によれば、水平面部４２と光源ユニット３０の段差面の第１領域との間の隙間に道具７１又は手指を容易に挿し込むことができる。
【００４９】
作業者は、光源ユニット３０を取り外す際に、光源ユニット３０の段差面に道具７１又は手指を引っ掛けて光源ユニット３０を照明器具２０から引き離す。このとき、作業者は、光源ユニット３０の段差面で、光源ユニット支持部２４が当たっていない第１領域（切り欠き８１がある位置）に道具７１又は手指を容易に引っ掛けることができる。
【００５０】
光源ユニット３０を照明器具２０から引き離されると、実施の形態１と同様に、取付バネ４５に対して弾性力の向きと逆向きに力が加わり、取付バネ４５による光源ユニット３０と照明器具２０との連結が解除される。これにより、光源ユニット３０が照明器具２０から取り外される。
【００５１】
光源ユニット支持部２４の切り欠き８１は、照明器具２０の長手方向（長さ方向）における、取付バネ４５が設置された箇所と同じ位置に設けられることが望ましい。これは、光源ユニット３０の長手方向（長さ方向）において、取付バネ４５が設置された箇所に対応する位置に道具７１又は手指を引っ掛けて光源ユニット３０を引き下ろすのが効率的だからである。よって、取付バネ４５が、照明器具２０に設置される代わりに、光源ユニット３０の長手方向（長さ方向）の少なくとも一箇所に設置される場合にも、光源ユニット支持部２４の切り欠き８１は、照明器具２０の長手方向（長さ方向）における、光源ユニット３０の取付バネ４５が設置された箇所に対応する位置に設けられることが望ましい。
【００５２】
本実施の形態では、光源ユニット３０の短手方向（幅方向）における少なくとも一端に設けられた段差面に道具７１又は手指を引っ掛けることが容易であるため、実施の形態１における、器具本体２１の開口幅が狭くても、光源ユニット３０を容易に外すことができるという効果が一層高まる。
【００５３】
なお、本実施の形態では、光源ユニット支持部２４の切り欠き８１が四箇所に設けられているが、切り欠き８１の数は適宜変更することができる。
【００５４】
実施の形態３．
本実施の形態について、主に実施の形態１との差異を説明する。
【００５５】
図１５は、本実施の形態に係る照明装置１０の分解斜視図である。
【００５６】
図１５に示すように、照明装置１０は、実施の形態１と同様に、照明器具２０と、光源ユニット３０とを備えるが、本実施の形態では、光源ユニット３０の光透過性カバー６２の構成が、図３に示した実施の形態１のものと異なる。
【００５７】
光源ユニット３０の光透過性カバー６２よりも上の部分と光透過性カバー６２との間には、段差ができている。段差は、光源ユニット３０の短手方向（幅方向）における両端に存在している。即ち、光源ユニット３０は、短手方向（幅方向）における両端に、照明器具２０に対向する段差面が設けられている。この段差面は、光源ユニット３０の長手方向（長さ方向）の全体に延びている。なお、段差面が光源ユニット３０の短手方向（幅方向）における少なくとも一端に設けられていれば、本実施の形態を適用することができる。
【００５８】
光源ユニット３０の段差面には、道具７１又は手指を引っ掛けるための窪み８２が形成されている。
【００５９】
照明器具２０の光源ユニット支持部２４は、実施の形態１のものと同様に、照明器具２０の収容凹部４１の開口から突出する部分が、照明器具２０の長手方向（長さ方向）に板状に延びている。光源ユニット支持部２４は、収容凹部４１の開口から突出して光源ユニット３０の段差面に当たることで、収容凹部４１の開口の周縁（水平面部４２）と光源ユニット３０の段差面との間に隙間を空けるが、その隙間に道具７１又は手指を挿し込もうとしても、光源ユニット支持部２４が存在していると、実際には道具７１又は手指を挿し込めないか、或いは、挿し込み難くなってしまう。そこで、本実施の形態では、光源ユニット支持部２４が光源ユニット３０の段差面の一部に当たらないように、光源ユニット３０の段差面に窪み８２を形成している。したがって、本実施の形態によれば、光源ユニット３０の段差面の窪み８２に道具７１又は手指を容易に挿し込むことができる。
【００６０】
作業者は、光源ユニット３０を取り外す際に、光源ユニット３０の段差面に道具７１又は手指を引っ掛けて光源ユニット３０を照明器具２０から引き離す。このとき、作業者は、光源ユニット３０の段差面で、光源ユニット支持部２４が当たっていない窪み８２に道具７１又は手指を容易に引っ掛けることができる。
【００６１】
光源ユニット３０を照明器具２０から引き離されると、実施の形態１と同様に、取付バネ４５に対して弾性力の向きと逆向きに力が加わり、取付バネ４５による光源ユニット３０と照明器具２０との連結が解除される。これにより、光源ユニット３０が照明器具２０から取り外される。
【００６２】
光源ユニット３０の段差面の窪み８２は、光源ユニット３０の長手方向（長さ方向）における、取付バネ４５が設置された箇所に対応する位置に設けられることが望ましい。これは、光源ユニット３０の長手方向（長さ方向）において、取付バネ４５が設置された箇所に対応する位置に道具７１又は手指を引っ掛けて光源ユニット３０を引き下ろすのが効率的だからである。よって、取付バネ４５が、照明器具２０に設置される代わりに、光源ユニット３０の長手方向（長さ方向）の少なくとも一箇所に設置される場合にも、光源ユニット３０の段差面の窪み８２は、光源ユニット３０の長手方向（長さ方向）における、光源ユニット３０の取付バネ４５が設置された箇所と同じ位置に設けられることが望ましい。
【００６３】
本実施の形態では、光源ユニット３０の短手方向（幅方向）における少なくとも一端に設けられた段差面に道具７１又は手指を引っ掛けることが容易であるため、実施の形態１における、器具本体２１の開口幅が狭くても、光源ユニット３０を容易に外すことができるという効果が一層高まる。
【００６４】
なお、本実施の形態では、光源ユニット３０の段差面の窪み８２が四箇所に形成されているが、窪み８２の数は適宜変更することができる。
【００６５】
以上、本発明の実施の形態について説明したが、これらの実施の形態のうち、いくつかを組み合わせて実施しても構わない。或いは、これらの実施の形態のうち、いずれか１つ又はいくつかを部分的に実施しても構わない。例えば、これらの実施の形態の説明において「部」として説明するもののうち、いずれか１つのみを採用してもよいし、いくつかの任意の組み合わせを採用してもよい。なお、本発明は、これらの実施の形態に限定されるものではなく、必要に応じて種々の変更が可能である。
【符号の説明】
【００６６】
１０  照明装置、２０  照明器具、２１  器具本体、２２  電源端子台、２４  光源ユニット支持部、３０  光源ユニット、３１  光源部、３２  電源装置、４１  収容凹部、４２  水平面部、４３  垂直面部、４４  端板、４５  取付バネ、４６  つば部、５１  支持取付部、５２  突出片、６１  取付部材、６２  光透過性カバー、６３  係合部、６４  固定部、６５  挿入部、６６  貫通孔、７１  道具、８１  切り欠き、８２  窪み。
【図１】
0006448248.tif 000002
【図２】
0006448248.tif 000003
【図３】
0006448248.tif 000004
【図４】
0006448248.tif 000005
【図５】
0006448248.tif 000006
【図６】
0006448248.tif 000007
【図７】
0006448248.tif 000008
【図８】
0006448248.tif 000009
【図９】
0006448248.tif 000010
【図１０】
0006448248.tif 000011
【図１１】
0006448248.tif 000012
【図１２】
0006448248.tif 000013
【図１３】
0006448248.tif 000014
【図１４】
0006448248.tif 000015
【図１５】
0006448248.tif 000016